(57)【要約】【課題】  従来よりも構造がシンプルでありながら長尺なボルトでも締着及び取り外し作業を簡易に行うことができる高作業性組合せナットを提供しようとするもの。【解決手段】  相互に螺合可能な雄側ナット部材１と雌側ナット部材２とを具備し、前記雄側ナット部材１の内周の軸方向片側にはボルト５が螺合可能な螺溝条６が軸方向他側にはボルト５が挿通可能な挿通孔７が形成され、前記雌側ナット部材２の内周の軸方向片側にもボルト５が螺合可能な螺溝条６が軸方向他側にはボルト５が挿通可能な挿通孔７が形成され、雄側ナット部材１と雌側ナット部材２とが螺合してそれぞれの内周の螺溝条６と挿通孔７とが軸方向でほぼ一致してボルト５を挿通できる状態と、前記状態から一定範囲回動され螺溝条６と挿通孔７とが軸方向でずれてボルト５に螺合できる状態とを有する。【選択図】  図１
2005106146.tif 000002
【特許請求の範囲】
【請求項１】
相互に螺合可能な雄側ナット部材（１）と雌側ナット部材（２）とを具備し、前記雄側ナット部材（１）の内周の軸方向片側にはボルト（５）が螺合可能な螺溝条（６）が軸方向他側にはボルト（５）が挿通可能な挿通孔（７）が形成され、前記雌側ナット部材（２）の内周の軸方向片側にもボルト（５）が螺合可能な螺溝条（６）が軸方向他側にはボルト（５）が挿通可能な挿通孔（７）が形成され、雄側ナット部材（１）と雌側ナット部材（２）とが螺合してそれぞれの内周の螺溝条（６）と挿通孔（７）とが軸方向でほぼ一致してボルト（５）を挿通できる状態と、前記状態から一定範囲回動され螺溝条（６）と挿通孔（７）とが軸方向でずれてボルト（５）に螺合できる状態とを有することを特徴とする高作業性組合せナット。
【請求項２】
前記ボルト（５）を挿通できる状態と前記状態から一定範囲回動されボルト（５）に螺合できる状態との間に回動を規制する位置決め部材（８）を有する請求項１記載の高作業性組合せナット。
【請求項３】
前記一定範囲はボルト（５）を挿通できる状態から約１８０°回動されるとボルト（５）に螺合できる状態となるように設定した請求項１又は２記載の高作業性組合せナット。
【請求項４】
前記雄側ナット部材（１）と雌側ナット部材（２）とを奥まで螺合させるとボルト（５）に螺合できる状態となるように設定した請求項１乃至３のいずれかに記載の高作業性組合せナット。
【発明の詳細な説明】
【技術分野】
【０００１】
この発明は、締着及び取り外し作業が簡易に行える高作業性組合せナットに関するものである。
【背景技術】
【０００２】
従来より、長尺なボルトでも締着及び取り外し作業が簡易に行えるナットが知られている（例えば、特許文献１参照）。
【０００３】
図13及び図14に示すように、このナット50は、上方に拡開し上下方向に貫通するテーパー孔51を有する本体52と、前記テーパー孔51内に上下方向に摺動可能に収められた複数のナットセグメント53と、前記ナットセグメント53をテーパー孔51の小径側に付勢するスプリング54と、前記本体52の外周に回動自在に嵌装され、内面に各ナットセグメント53の突起部55に係合してこれらをスプリング54の弾力に抗して同時に上昇させたり上昇力を解除させることができるカム部56が形成された操作環57とを有し、前記操作環のカム部56とスプリング54によりナットセグメント53の制御を行うようにしたものである。
【０００４】
このナット50によると、ボルト58とナット50で被締付部材を締め付ける際にナット50をボルト58の先端から締着位置の近傍迄の長さを押圧するだけで挿入することができるので、回動による挿入に比べナット50の締着操作が楽であるという利点がある。
【０００５】
しかし、上記の如く構造がかなり複雑であるという問題があった。
【特許文献１】特公昭５５−５０２０３号公報（第１〜４頁、第３、５図）
【発明の開示】
【発明が解決しようとする課題】
【０００６】
そこでこの発明は、従来よりも構造がシンプルでありながら長尺なボルトでも締着及び取り外し作業を簡易に行うことができる高作業性組合せナットを提供しようとするものである。
【課題を解決するための手段】
【０００７】
前記課題を解決するためこの発明では次のような技術的手段を講じている。
(１)この発明の高作業性組合せナットは、相互に螺合可能な雄側ナット部材と雌側ナット部材とを具備し、前記雄側ナット部材の内周の軸方向片側にはボルトが螺合可能な螺溝条が軸方向他側にはボルトが挿通可能な挿通孔が形成され、前記雌側ナット部材の内周の軸方向片側にもボルトが螺合可能な螺溝条が軸方向他側にはボルトが挿通可能な挿通孔が形成され、雄側ナット部材と雌側ナット部材とが螺合してそれぞれの内周の螺溝条と挿通孔とが軸方向でほぼ一致してボルトを挿通できる状態と、前記状態から一定範囲回動され螺溝条と挿通孔とが軸方向でずれてボルトに螺合できる状態とを有することを特徴とする。
【０００８】
この高作業性組合せナットは、雄側ナット部材と雌側ナット部材とが螺合してそれぞれの内周の螺溝条と挿通孔とが軸方向でほぼ一致してボルトを挿通できる状態と、前記状態から一定範囲回動され螺溝条と挿通孔とが軸方向でずれてボルトに螺合できる状態とを有するので、スプリングやカム機構を必要とすることなしにボルトを挿通できる状態とボルトに螺合できる状態とに操作することができる。
(２) 前記ボルトを挿通できる状態と前記状態から一定範囲回動されボルトに螺合できる状態との間に回動を規制する位置決め部材を有することとしてもよい。
【０００９】
このように構成すると、ボルトを挿通できる状態とボルトに螺合できる状態とで回動が規制されるので作業時の操作性に優れると共に、作業中の相互の無用な分離を防止することができる。
(３)前記一定範囲はボルトを挿通できる状態から約１８０°回動されるとボルトに螺合できる状態となるように設定したこととしてもよい。
【００１０】
このように構成すると、雄側ナット部材と雌側ナット部材の内周の螺溝条が約１８０°(約半周)逆の位置でボルトに螺合することとなり、これより小さな角度(例えば８０〜１００°等)に設定した場合と比較してボルトに対する縦方向の噛合い強度が高い。
(４) 前記雄側ナット部材と雌側ナット部材とを奥まで螺合させるとボルトに螺合できる状態となるように設定したこととしてもよい。
【００１１】
このように構成すると、雄側ナット部材と雌側ナット部材とを奥まで螺合し相互に固定した状態でボルトに対して回転させることができ、ボルトへの螺合・回転作業時の安定性に優れる。
【発明の効果】
【００１２】
この発明は上述のような構成であり、次の効果を有する。
【００１３】
スプリングやカム機構を必要とすることなしにボルトを挿通できる状態とボルトに螺合できる状態とに操作することができるので、従来よりも構造がシンプルでありながら長尺なボルトでも締着及び取り外し作業を簡易に行うことができる高作業性組合せナットを提供することができる。
【発明を実施するための最良の形態】
【００１４】
以下、この発明の実施の形態を図面を参照して説明する。
（実施形態１）
図１乃至図６に示すように、この実施形態の高作業性組合せナットは、相互に螺合可能な雄側ナット部材１と雌側ナット部材２とを具備する。前記雄側ナット部材１は外周が六角形状であって雄ネジ部３を有し、雌側ナット部材２は外周が円環状であって雌ネジ部４を有する。
【００１５】
前記雄側ナット部材１の内周の軸方向片側には、ボルト５ (図５参照)が螺合可能な螺溝条６が形成されている。一方、軸方向他側には、ボルト５が挿通可能な挿通孔７が形成されている。同様に、前記雌側ナット部材２の内周の軸方向片側にもボルト５が螺合可能な螺溝条６が形成されている。一方、軸方向他側には、ボルト５が挿通可能な挿通孔７が形成されている。
【００１６】
そして図１及び図２に示すように、雄側ナット部材１と雌側ナット部材２とが螺合してそれぞれの内周の螺溝条６と挿通孔７とが軸方向でほぼ一致してボルト５を挿通できる状態と、図３乃至図５に示すように前記状態から一定範囲(約１８０°に設定)回動され螺溝条６と挿通孔７とが軸方向でずれてボルト５に螺合できる状態とを有する。
【００１７】
ここで前記一定範囲を、ボルト５を挿通できる状態から約１８０°回動されるとボルト５に螺合できる状態となるように設定すると、雄側ナット部材１と雌側ナット部材２の内周の螺溝条６が約１８０°(約半周)逆の位置でボルト５に螺合することとなり、これより小さな角度(例えば８０〜１００°等)に設定した場合と比較してボルト５に対する縦方向の噛合い強度が高いという利点がある。
【００１８】
また、前記雄側ナット部材１と雌側ナット部材２とを奥まで完全に螺合させると、ボルト５に螺合できる状態となるように設定している。したがって、雄側ナット部材１と雌側ナット部材２とを奥まで完全に螺合し相互にしっかりと固定した状態でボルト５に対して回転させることができ、ボルト５への螺合・回転作業時の安定性に優れるという利点がある。この場合、ボルト５を挿通できる状態の位置は、雄側ナット部材１と雌側ナット部材２とを奥まで完全に螺合させた状態から約１８０°(約半周)緩めた位置となる。
【００１９】
次に、この実施形態の高作業性組合せナットの使用状態を説明する。
【００２０】
この高作業性組合せナットは、雄側ナット部材１と雌側ナット部材２とが螺合してそれぞれの内周の螺溝条６と挿通孔７とが軸方向でほぼ一致してボルト５を挿通できる状態と、前記状態から一定範囲回動され螺溝条６と挿通孔７とが軸方向でずれてボルト５に螺合できる状態とを有するので、スプリングやカム機構を必要とすることなしにボルト５を挿通できる状態とボルト５に螺合できる状態とに操作することができ、従来よりも構造がシンプルでありながら長尺なボルト５でも締着及び取り外し作業を簡易に行うことができるという利点がある。
（実施形態２）
実施形態２の高作業性組合せナットは、主に位置決め部材を設置した点で前記実施形態１と異なる。
【００２１】
図７乃至図12に示すように、この実施形態の高作業性組合せナットは、相互に螺合可能な雄側ナット部材１と雌側ナット部材２とを具備する。前記雄側ナット部材１は外周が六角形状であって雄ネジ部３を有し、雌側ナット部材２は外周が円環状であって滑り止めのローレット加工が施され且つ雌ネジ部４を有する。
【００２２】
前記雄側ナット部材１の内周の軸方向片側には、ボルト５ (実施形態１の図５参照)が螺合可能な螺溝条６が形成されている。一方、軸方向他側には、ボルト５が挿通可能な挿通孔７が形成されている。同様に、前記雌側ナット部材２の内周の軸方向片側にもボルト５が螺合可能な螺溝条６が形成されている。一方、軸方向他側には、ボルト５が挿通可能な挿通孔７が形成されている。
【００２３】
そして図７乃至図９に示すように、雄側ナット部材１と雌側ナット部材２とが螺合してそれぞれの内周の螺溝条６と挿通孔７とが軸方向でほぼ一致してボルト５を挿通できる状態と、図10乃至図12に示すように前記状態から一定範囲(約１８０°に設定)回動され螺溝条６と挿通孔７とが軸方向でずれてボルト５に螺合できる状態とを有する。
【００２４】
ここで前記一定範囲を、ボルト５を挿通できる状態から約１８０°回動されるとボルト５に螺合できる状態となるように設定すると、雄側ナット部材１と雌側ナット部材２の内周の螺溝条６が約１８０°(約半周)逆の位置でボルト５に螺合することとなり、これより小さな角度(例えば８０〜１００°等)に設定した場合と比較してボルト５に対する縦方向の噛合い強度が高いという利点がある。
【００２５】
また、前記雄側ナット部材１と雌側ナット部材２とを奥まで完全に螺合させると、ボルト５に螺合できる状態となるように設定している。したがって、雄側ナット部材１と雌側ナット部材２とを奥まで完全に螺合し相互にしっかりと固定した状態でボルト５に対して回転させることができ、ボルト５への螺合・回転作業時の安定性に優れるという利点がある。この場合、ボルト５を挿通できる状態の位置は、雄側ナット部材１と雌側ナット部材２とを奥まで完全に螺合させた状態から約１８０°(約半周)緩めた位置となる。
【００２６】
そして、前記ボルト５を挿通できる状態と前記状態から一定範囲(約１８０°)回動されボルト５に螺合できる状態との間に回動範囲を規制する位置決め部材８を、雄側ナット部材１と雌側ナット部材２との外周に付設・固定している。
【００２７】
次に、この実施形態の高作業性組合せナットの使用状態を説明する。
【００２８】
この高作業性組合せナットは、雄側ナット部材１と雌側ナット部材２とが螺合してそれぞれの内周の螺溝条６と挿通孔７とが軸方向でほぼ一致してボルト５を挿通できる状態と、前記状態から一定範囲回動され螺溝条６と挿通孔７とが軸方向でずれてボルト５に螺合できる状態とを有するので、スプリングやカム機構を必要とすることなしにボルト５を挿通できる状態とボルト５に螺合できる状態とに操作することができ、従来よりも構造がシンプルでありながら長尺なボルト５でも締着及び取り外し作業を簡易に行うことができるという利点がある。
【００２９】
また、前記ボルト５を挿通できる状態と前記状態から一定範囲回動されボルト５に螺合できる状態との間に回動を規制する位置決め部材８を付設・固定しており、ボルト５を挿通できる状態とボルト５に螺合できる状態とで回動が規制されるので作業時の操作性に優れると共に、作業中の相互の無用な分離を防止することができるという利点がある。
【産業上の利用可能性】
【００３０】
従来よりも構造がシンプルでありながら長尺なボルトでも締着及び取り外し作業を簡易に行うことができ、例えば付け替え回数が非常に多い金型の螺着作業にかかる時間を大幅に短縮して能率よく行うことができ、モーターのカバーの取付作業、治具の取付作業、仮締め作業などに能率よく適用することができる。
【００３１】
また、建築作業現場その他の用途などにも好適に適用することができる。
【図面の簡単な説明】
【００３２】
【図１】この発明の高作業性組合せナットの実施形態１でボルトを挿通できる状態を説明する全体斜視図。
【図２】図１の高作業性組合せナットを説明する中央縦断面図。
【図３】図１の高作業性組合せナットでボルトに螺合できる状態を説明する全体斜視図。
【図４】図３の高作業性組合せナットを説明する中央縦断面図。
【図５】図３の高作業性組合せナットにボルトに螺合させた使用状態を説明する斜視図。
【図６】図１の高作業性組合せナットを分解した説明する分解斜視図。
【図７】この発明の高作業性組合せナットの実施形態２でボルトを挿通できる状態を説明する全体斜視図。
【図８】図７の高作業性組合せナットを説明する中央縦断面図。
【図９】図７の高作業性組合せナットを説明する中央横断面図。
【図１０】図７の高作業性組合せナットでボルトに螺合できる状態を説明する全体斜視図。
【図１１】図10の高作業性組合せナットを説明する中央縦断面図。
【図１２】図10の高作業性組合せナットを説明する中央横断面図。
【図１３】従来のナットを説明する断面図。
【図１４】従来のナットを説明する分解斜視図。
【符号の説明】
【００３３】
１  雄側ナット部材
２  雌側ナット部材
５  ボルト
６  螺溝条
７  挿通孔
８  位置決め部材
【図１】
2005106146.tif 000003
【図２】
2005106146.tif 000004
【図３】
2005106146.tif 000005
【図４】
2005106146.tif 000006
【図５】
2005106146.tif 000007
【図６】
2005106146.tif 000008
【図７】
2005106146.tif 000009
【図８】
2005106146.tif 000010
【図９】
2005106146.tif 000011
【図１０】
2005106146.tif 000012
【図１１】
2005106146.tif 000013
【図１２】
2005106146.tif 000014
【図１３】
2005106146.tif 000015
【図１４】
2005106146.tif 000016